(57)【要約】【課題】肌に刺激を与えにくい電気かみそりを提供する。【解決手段】内刃５０が外刃３２に対して並進運動する電気かみそりであって、電気かみそりは、導入抑制部７０を有する。導入抑制部７０は、内刃５０の内部に形成されている空間である内刃内部空間５４において肌と接触し得る位置に配置されている。導入抑制部７０は、内刃５０に形成されている内刃孔５３を介して内刃５０の外部を臨み、内刃５０の平面視における導入抑制部７０の先端の面積は、内刃５０の平面視における導入抑制部７０の根本の面積よりも小さい。【選択図】図４
2015107225.tif 000002
【特許請求の範囲】
【請求項１】
内刃が外刃に対して並進運動または回転運動する電気かみそりであって、
前記電気かみそりは、導入抑制部を含み、
前記導入抑制部は、前記内刃の内部に形成されている空間である内刃内部空間において肌と接触し得る位置に配置され、前記内刃に形成されている内刃孔を介して前記内刃の外部を臨み、
前記内刃の平面視における前記導入抑制部の先端の面積が、前記内刃の平面視における前記導入抑制部の根本の面積よりも小さい
電気かみそり。
【請求項２】
前記導入抑制部の先端部分の形状が半球形状である
請求項１に記載の電気かみそり。
【請求項３】
前記導入抑制部が細い部分および太い部分を含み、
前記太い部分が前記導入抑制部の根本側の部分を構成し、
前記細い部分が前記導入抑制部の先端側の部分を構成している
請求項１または２に記載の電気かみそり。
【発明の詳細な説明】
【技術分野】
【０００１】
本発明は、電気かみそりに関する。
【背景技術】
【０００２】
特許文献１は、従来の電気かみそりの一例を開示している。
特許文献１の電気かみそりは、外刃および内刃を含む。この電気かみそりによれば、外刃に形成されている外刃孔、および、内刃に形成されている内刃孔に髭が導入される。外刃孔および内刃孔に導入された髭は、外刃に対する内刃の並進運動により切断される。
【先行技術文献】
【特許文献】
【０００３】
【特許文献１】特表２００９−５０２２７８号公報
【発明の概要】
【発明が解決しようとする課題】
【０００４】
電気かみそりが使用されるとき、外刃が肌に押し付けられる。このため、外刃孔を介して内刃孔に肌が導入されることがある。このように内刃孔に導入された肌は、外刃に対する内刃の並進運動により刺激を受けるおそれがある。なお、このような課題は、外刃に対して内刃が回転運動する回転式の電気かみそりにおいても生じるおそれがある。
【０００５】
本発明の目的は、肌に刺激を与えにくい電気かみそりを提供することである。
【課題を解決するための手段】
【０００６】
〔１〕本電気かみそりの独立した一形態は、次の事項を含む。内刃が外刃に対して並進運動または回転運動する電気かみそりであって、前記電気かみそりは、導入抑制部を含み、前記導入抑制部は、前記内刃の内部に形成されている空間である内刃内部空間において肌と接触し得る位置に配置され、前記内刃に形成されている内刃孔を介して前記内刃の外部を臨み、前記内刃の平面視における前記導入抑制部の先端の面積が、前記内刃の平面視における前記導入抑制部の根本の面積よりも小さい。
【０００７】
本電気かみそりによれば、外刃が肌に押し付けられることにより、肌が外刃孔を介して外刃の内部の空間に導入される。外刃を肌に押し付ける力が強い場合、肌が内刃孔に到達することがある。内刃孔に到達した肌が、内刃内部空間側に向けてさらに押し込まれた場合、導入抑制部と接触する。このため、肌が内刃内部空間に導入されることが妨げられる。このため、肌が刺激を受けにくくなる。
【０００８】
〔２〕前記電気かみそりに従属する一形態は、次の事項を含む。前記導入抑制部の先端部分の形状が半球形状である。
〔３〕前記電気かみそりに従属する一形態は、次の事項を含む。前記導入抑制部が細い部分および太い部分を含み、前記太い部分が前記導入抑制部の根本側の部分を構成し、前記細い部分が前記導入抑制部の先端側の部分を構成している。
【発明の効果】
【０００９】
本電気かみそりによれば、肌が刺激を受けにくくなる。
【図面の簡単な説明】
【００１０】
【図１】第１実施形態の電気かみそりの分解斜視図。
【図２】第１実施形態の内刃ユニットの正面図。
【図３】図２のＤ３−Ｄ３線の断面図。
【図４】図３のＤ４−Ｄ４線の断面図。
【図５】（ａ）図４の断面において、内刃内部空間に肌および髭が導入された状態を示す断面図。（ｂ）図４の断面において、髭が外刃および内刃により切断される状態を示す断面図。
【図６】第２実施形態の内刃ユニットの一部の平面図。
【図７】図６のＤ７−Ｄ７線の断面図。
【図８】第３実施形態の内刃ユニットの一部の断面図。
【図９】第４実施形態の内刃ユニットの一部の断面図。
【発明を実施するための形態】
【００１１】
（第１実施形態）
図１を参照して、電気かみそり１の構成について説明する。
電気かみそり１は、髭等の毛を切断する電気機器である。電気かみそり１は、ボディ１０、ヘッド２０、および、外刃ユニット３０を含む。電気かみそり１の駆動方式は、並進運動方式である。並進運動方式によれば、ヘッド２０の内刃ユニット４０が外刃ユニット３０に対して並進運動する。
【００１２】
ボディ１０は、電気かみそり１の各構成要素を収容する役割、および、ユーザーがグリップする部分としての役割等を持つ。ボディ１０は、複数の構成要素の集合体であり、一例として、駆動部１１および電源スイッチ１２を含む。
【００１３】
ヘッド２０は、毛を切断する役割を持つ。ヘッド２０は、ボディ１０と結合している。ヘッド２０は、複数の構成要素の集合体であり、一例として、２つの内刃ユニット４０を含む。
【００１４】
駆動部１１は、内刃ユニット４０に駆動力を供給し、内刃ユニット４０を外刃ユニット３０に対して並進運動させる役割を持つ。駆動部１１は、ボディ１０およびヘッド２０にまたがり収容されている。駆動部１１の一部は、ヘッド２０から外部に突出している。駆動部１１は、内刃ユニット４０と結合している。
【００１５】
電源スイッチ１２は、駆動部１１の動作を切り替える役割を持つ。電源スイッチ１２は、ボディ１０の正面部分に形成されている。電源スイッチ１２がオンに設定されているとき、駆動部１１から内刃ユニット４０に駆動力が供給される。電源スイッチ１２がオフに設定されているとき、駆動部１１から内刃ユニット４０に駆動力が供給されない。
【００１６】
外刃ユニット３０は、毛をヘッド２０の内部に導入し、内刃ユニット４０と協同して毛を切断する役割を持つ。外刃ユニット３０は、複数の構成要素の集合体であり、一例として、外刃ケース３１および外刃３２を含む。
【００１７】
外刃ケース３１は、ヘッド２０への取り付け、および、ヘッド２０からの取り外しが可能なアタッチメント構造を有している。外刃ケース３１は、内部に空間（以下、「外刃内部空間３３」）を形成している。外刃３２は、金属材料により形成されている。外刃３２は、外刃ケース３１と結合している。多数の外刃孔３２Ａが、外刃３２に形成されている。外刃孔３２Ａは、毛を外刃内部空間３３に導入する役割を持つ。
【００１８】
図２〜図４を参照して、内刃ユニット４０の構成について説明する。
内刃ユニット４０は、外刃ユニット３０と協同して毛を切断する役割を持つ。図２に示されるとおり、内刃ユニット４０は、複数の構成要素の集合体であり、一例として、内刃５０、継手部品６０、および、複数の導入抑制部７０を含む。継手部品６０は、駆動部１１（図１参照）と結合している。このため、内刃ユニット４０が、駆動部１１から供給される駆動力により並進運動する。
【００１９】
内刃５０は、金属材料により形成されている。内刃５０は、複数の機能部分を含む。複数の機能部分の一例は、支持プレート５１、複数の刃片５２、および、内刃孔５３である。これらの機能部分は、１つの物体である内刃５０の一部分を構成している。内刃５０は、内部に空間（以下、「内刃内部空間５４」）を形成している。
【００２０】
支持プレート５１の形状は、ヘッド２０の幅方向（以下、「ヘッド幅方向」）に長い四角形状である。支持プレート５１は、継手部品６０と結合している。複数の刃片５２は、ヘッド幅方向に並べて配置されている。各刃片５２の形状は、ヘッド２０の側面視において、Ｕ字形状の天地を反転させた形状である。ヘッド幅方向において互いに隣り合う２つの刃片５２は、各刃片５２の間に内刃孔５３を形成している。
【００２１】
各導入抑制部７０は、内刃内部空間５４に肌が入り込むことを抑制する機能（以下、「肌導入抑制機能」）を有する。各導入抑制部７０は、ヘッド幅方向に並べて配置されている。各導入抑制部７０は、１つの内刃孔５３に対応する内刃内部空間５４において、肌と接触し得る位置に配置されている。各導入抑制部７０は、内刃孔５３を介して内刃５０の外部を臨んでいる。
【００２２】
図３を参照して、刃片５２および導入抑制部７０の構成について説明する。
刃片５２は、ヘッド２０の短手方向（以下、「ヘッド短手方向」）において３つの部分、すなわち、短手高圧部分ＲＡおよび２箇所の短手低圧部分ＲＢに区分することができる。この区分は、電気かみそり１の使用時において、内刃５０に作用する圧力に基づいて規定される。
【００２３】
短手高圧部分ＲＡは、ヘッド短手方向における刃片５２のうちの中間部分であり、短手低圧部分ＲＢと比較して高い圧力が作用しやすい部分である。２箇所の短手低圧部分ＲＢは、短手高圧部分ＲＡのヘッド短手方向の両側に存在する部分であり、作用する圧力が短手高圧部分ＲＡと比較して低くなりやすい部分である。この圧力の関係は、主として、刃片５２の短手高圧部分ＲＡが肌にフィットしやすいアーチ形状を有していることにより生じる。
【００２４】
導入抑制部７０は、複数の機能部分を含む。複数の機能部分の一例は、太い部分７１および細い部分７２である。これらの機能部分は、１つの物体である導入抑制部７０の一部分を構成している。導入抑制部７０は、一例として、樹脂材料により形成されている。
【００２５】
太い部分７１は、薄板構造を有している。太い部分７１の先端部分の形状は、半円形状である。太い部分７１は、導入抑制部７０の根本側の部分を構成している。太い部分７１は、継手部品６０と結合している。太い部分７１は、ヘッド短手方向において、一方の短手低圧部分ＲＢから他方の短手低圧部分ＲＢまでにわたり存在している。
【００２６】
細い部分７２は、突起構造を有している。細い部分７２の先端の形状は、半球形状である。細い部分７２は、一例として、ヘッド短手方向に３つ並べられている。細い部分７２は、導入抑制部７０の先端側の部分を構成している。細い部分７２は、太い部分７１の湾曲部分から内刃孔５３に向けて突出している。細い部分７２の先端面７２Ａは、ヘッド高さ方向において、刃片５２の先端面５２Ａよりも内刃内部空間５４側に存在している。
【００２７】
複数の細い部分７２は、ヘッド幅方向において短手高圧部分ＲＡと対応する部分に存在している。外刃３２が肌に押し付けられたとき、短手低圧部分ＲＢに対応する内刃孔５３よりも、短手高圧部分ＲＡに対応する内刃孔５３に肌が入り込みやすい。
【００２８】
電気かみそり１によれば、このような肌の動きを考慮して、導入抑制部７０が構成されている。細い部分７２は、太い部分７１よりも内刃孔５３の開口している部分の近くに存在しているため、肌が内刃内部空間５４に入り込むことを妨げる効果が高い。このため、短手高圧部分ＲＡと対応する部分に細い部分７２が配置されていることにより、細い部分７２が存在しない場合と比較して、肌が内刃内部空間５４に一層入り込みにくくなる。
【００２９】
図４を参照して、太い部分７１および細い部分７２の寸法について説明する。
細い部分７２の幅寸法ＸＡは、太い部分７１の幅寸法ＸＢよりも短い。細い部分７２の幅寸法ＸＡは、ヘッド幅方向における細い部分７２の一方の端面から他方の端面までの距離である。太い部分７１の幅寸法ＸＢは、ヘッド幅方向における太い部分７１の一方の端面から他方の端面までの距離である。
【００３０】
細い部分７２の先端面７２Ａの面積は、太い部分７１の面積よりも小さい。先端面７２Ａの面積は、内刃５０の平面視における先端面７２Ａの平面上の面積である。太い部分７１の面積は、内刃５０の平面視における太い部分７１の平面上の面積である。
【００３１】
導入抑制部７０が有する肌導入抑制機能の高さは、主として、細い部分７２の先端部分の幅寸法ＸＡに依存している。肌導入抑制機能は、幅寸法ＸＡが長くなるにつれて高くなる。幅寸法ＸＡが規定幅範囲に含まれる場合、好ましい肌導入抑制機能が確保される。このため、細い部分７２の先端部分の幅寸法ＸＡは、規定幅範囲に含まれる大きさに設定されている。
【００３２】
ここで、髭の剃り性を示す事項の１つとして、髭導入性が挙げられる。髭導入性は、内刃内部空間５４への髭の挿入されやすさを示す。細い部分７２の端面と外刃３２との距離ＸＣは、髭導入性に影響を及ぼす。髭導入性は、距離ＸＣが長くなるにつれて高くなる。距離ＸＣが規定距離範囲に含まれる場合、好ましい髭導入性が確保される。このため、距離ＸＣは、規定距離範囲に含まれる大きさに設定されている。
【００３３】
幅寸法ＸＡおよび距離ＸＣは、互いに影響を及ぼし合う。このため、肌導入抑制機能および髭導入性の双方を考慮して、幅寸法ＸＡおよび距離ＸＣを規定することが好ましい。導入抑制部７０は、好ましい肌導入抑制機能が確保される幅寸法ＸＡ、および、好ましい髭導入性が確保される距離ＸＣを有している。
【００３４】
ただし、太い部分７１の幅寸法ＸＢが、太い部分７１の先端の部分から根本の部分までにわたり幅寸法ＸＡを取ると仮定した場合、太い部分７１の強度が比較的小さくなるおそれがある。すなわち、仮定した構成によれば、太い部分７１が外部から受けることができる最大の負荷が、比較的小さくなる。
【００３５】
このため、導入抑制部７０は、好ましい肌導入抑制機能および髭導入性を確保する構造に加えて、好ましい強度を確保する構造をさらに有している。この構造によれば、内刃５０の平面視における太い部分７１の面積が、内刃５０の平面視における細い部分７２の先端面７２Ａの面積よりも大きく設定されている。
【００３６】
肌との接触にともない太い部分７１に負荷が作用するとき、導入抑制部７０は、太い部分７１のうち、継手部品６０と結合している根本側の部分を支点としてたわみ変形する。このため、太い部分７１の根本の部分の強度を高めることにより、太い部分７１が破損しにくくなる。
【００３７】
細い部分７２の一方の端面と外刃３２との距離ＸＣは、規定距離以上の長さである。規定距離は、一例として、髭の径を示す。髭の径は、人により異なる。細い部分７２によれば、代表的な髭の径が規定距離として選択され、その選択された規定距離との関係に基づいて距離ＸＣが定められている。細い部分７２および外刃３２の外刃孔３２Ａが、このような寸法の関係を有しているため、内刃内部空間５４に髭が入り込みやすい。
【００３８】
隙間空間ＳＡが、太い部分７１と刃片５２との間に形成されている。余裕空間ＳＢが、細い部分７２と刃片５２との間に形成されている。隙間空間ＳＡの幅寸法ＸＤは、太い部分７１の端面と刃片５２との距離により規定される。隙間空間ＳＡの幅寸法ＸＤは、代表的な髭の径よりも細い径の髭が隙間空間ＳＡには入りにくい大きさを取る。すなわち、幅寸法ＸＤは、規定距離よりも短い。
【００３９】
余裕空間ＳＢの幅寸法ＸＥは、細い部分７２の端面と刃片５２との距離により規定される。余裕空間ＳＢの幅寸法ＸＥは、隙間空間ＳＡの幅寸法ＸＤよりも大きい。余裕空間ＳＢの幅寸法ＸＥは、切断された髭が細い部分７２と刃片５２との間に詰まりにくい大きさを取る。
【００４０】
図５を参照して、電気かみそり１の作用について説明する。
図５（ａ）に示されるとおり、電気かみそり１が使用されるとき、外刃３２が肌１００に押し付けられる。このため、髭１１０が、外刃孔３２Ａを介して外刃内部空間３３に導入される。外刃内部空間３３に導入された髭１１０は、内刃孔５３を介して内刃内部空間５４に導入される。内刃内部空間５４に導入される髭１１０の長さは、髭の向き等の影響を受けて変化する。
【００４１】
電気かみそり１によれば、外刃３２が肌１００に押し付けられることにより、肌１００が外刃孔３２Ａを介して外刃内部空間３３に導入される。外刃内部空間３３に導入される肌１００の体積は、外刃３２を肌１００に押し付ける力等の影響を受けて変化する。外刃３２を肌１００に押し付ける力が弱い場合、肌１００が実質的に内刃内部空間５４に導入されないこともある。
【００４２】
外刃３２を肌１００に押し付ける力が強い場合、肌１００が内刃孔５３に到達することがある。内刃孔５３に到達した肌１００が、ヘッド２０の内部に向けてさらに押し込まれた場合、導入抑制部７０の細い部分７２と接触する。このため、肌１００が内刃内部空間５４に導入されることが妨げられる。
【００４３】
図５（ｂ）に示されるとおり、内刃５０の刃片５２は、外刃孔３２Ａを介して内刃内部空間５４に導入された髭１１０を外刃３２と協働して挟み込む。そして、内刃５０が外刃３２に対して並進することにより、挟み込まれた髭１１０が切断される。
【００４４】
第１実施形態の電気かみそり１によれば、以下の効果が得られる。
（１）電気かみそり１は、導入抑制部７０を含む。このため、肌１００が内刃内部空間５４に導入されにくくなる。このため、肌１００が刺激を受けにくくなる。
【００４５】
（２）細い部分７２の先端面７２Ａの面積が、太い部分７１の面積よりも小さい。このため、切断された髭１１０が、導入抑制部７０と刃片５２との間に詰まりにくくなる。
（３）太い部分７１の面積が、細い部分７２の先端面７２Ａの面積よりも大きい。このため、太い部分７１の面積が先端面７２Ａの面積よりも小さい、または、同じ場合と比較して、導入抑制部７０が損傷しにくくなる。
【００４６】
（４）細い部分７２の先端の形状が半球形状である。このため、細い部分７２の先端の形状が角を有する形状である構成と比較して、細い部分７２が肌１００と接触したとき、肌１００がより刺激を受けにくくなる。
【００４７】
（５）細い部分７２の先端面７２Ａが、刃片５２の先端面５２Ａよりもヘッド高さ方向において内刃内部空間５４側に存在している。このため、ヘッド高さ方向において、先端面７２Ａが先端面５２Ａよりも外刃３２側に存在している構成、または、先端面７２Ａと先端面５２Ａとが同じ位置に存在している構成と比較して、導入抑制部７０が髭１１０の内刃内部空間５４への導入を妨げにくい。このため、電気かみそり１の剃り性が高められる。
【００４８】
（６）細い部分７２が、短手高圧部分ＲＡに存在している内刃孔５３に対応する内刃内部空間５４に配置されている。このため、短手高圧部分ＲＡに対応する内刃内部空間５４に肌が導入されにくい。このため、肌が一層刺激を受けにくくなる。
【００４９】
（第２実施形態）
第２実施形態の電気かみそり１は、次の点において第１実施形態の電気かみそり１と相違し、その他の点において第１実施形態の電気かみそり１と実質的に同じ構成を有する。第１実施形態の内刃ユニット４０は、図１等に示される導入抑制部７０を有する。第２実施形態の内刃ユニット４０は、導入抑制部７０に代えて、図６等に示される導入抑制部２７０を有する。なお、第１実施形態の電気かみそり１と共通する第２実施形態の電気かみそり１の構成要素は、第１実施形態の電気かみそり１の構成要素と同一の符号が付されている。このような構成要素に関する説明の一部または全部は、省略されている。
【００５０】
図６および図７を参照して、導入抑制部２７０の構成について説明する。
各導入抑制部２７０は、ヘッド幅方向およびヘッド短手方向に並べて配置されている。導入抑制部２７０は、複数の機能部分を含む。複数の機能部分の一例は、太い部分２７１および細い部分２７２である。これらの機能部分は、１つの物体である導入抑制部２７０の一部分を構成している。
【００５１】
太い部分２７１の形状は、四角柱形状である。太い部分２７１は、導入抑制部２７０の根本側の部分を構成している。太い部分２７１は、継手部品６０と結合している。
細い部分２７２の形状は、円柱形状に類似する形状である。細い部分２７２は、導入抑制部２７０の先端側の部分を構成している。細い部分２７２は、太い部分２７１の先端側の部分から内刃孔５３に向けて突出している。
【００５２】
細い部分２７２の先端部分の形状は、半球形状である。細い部分２７２の先端面２７２Ａは、ヘッド高さ方向において、刃片５２の先端面５２Ａよりも内刃内部空間５４側に存在している。
【００５３】
細い部分２７２の先端面２７２Ａの面積は、太い部分２７１の面積よりも小さい。先端面２７２Ａの面積は、内刃５０の平面視における先端面２７２Ａの面積である。太い部分２７１の面積は、内刃５０の平面視における太い部分２７１の面積である。なお、第２実施形態の電気かみそり１によれば、第１実施形態の電気かみそり１により得られる上記（１）〜（５）に準じた効果が得られる。
【００５４】
（第３実施形態）
第３実施形態の電気かみそり１は、次の点において第２実施形態の電気かみそり１と相違し、その他の点において第２実施形態の電気かみそり１と実質的に同じ構成を有する。第２実施形態の内刃ユニット４０は、図６に示される導入抑制部２７０を有する。第３実施形態の内刃ユニット４０は、導入抑制部２７０に代えて、図８に示される導入抑制部３７０を有する。なお、第１実施形態の電気かみそり１と共通する第３実施形態の電気かみそり１の構成要素は、第１実施形態の電気かみそり１の構成要素と同一の符号が付されている。このような構成要素に関する説明の一部または全部は、省略されている。
【００５５】
図８を参照して、導入抑制部３７０の構成について説明する。
各導入抑制部３７０の形状は、継手部品６０側から内刃孔５３側に向うにつれて細くなる先細り形状である。導入抑制部３７０の先端３７１の形状は、半球形状である。導入抑制部３７０先端は、ヘッド高さ方向において、先端面５２Ａよりも内刃内部空間５４側に存在している。
【００５６】
導入抑制部３７０の先端３７１の面積は、導入抑制部３７０の根本３７２の面積よりも小さい。導入抑制部３７０の先端３７１の面積は、内刃５０の平面視における先端３７１の面積である。導入抑制部３７０の根本３７２の面積は、内刃５０の平面視における根本３７２の面積である。なお、第３実施形態の電気かみそり１によれば、第１実施形態の電気かみそり１により得られる上記（１）〜（５）に準じた効果を得ることができる。
【００５７】
（第４実施形態）
第４実施形態の電気かみそり１は、次の点において第２実施形態の電気かみそり１と相違し、その他の点において第２実施形態の電気かみそり１と実質的に同じ構成を有する。第２実施形態の内刃ユニット４０は、図６に示される導入抑制部２７０を有する。第４実施形態の内刃ユニット４０は、導入抑制部２７０に代えて、図９に示される導入抑制部４７０を有する。なお、第１実施形態の電気かみそり１と共通する第３実施形態の電気かみそり１の構成要素は、第１実施形態の電気かみそり１の構成要素と同一の符号が付されている。このような構成要素に関する説明の一部または全部は、省略されている。
【００５８】
図９を参照して、導入抑制部４７０の構成について説明する。
導入抑制部４７０の形状は、継手部品６０側から内刃孔５３側に向うにつれて細くなる先細り形状である。導入抑制部４７０の先端４７１の形状は、台形状である。先端４７１の先端は、ヘッド高さ方向において、先端面５２Ａよりも内刃内部空間５４側に存在している。
【００５９】
導入抑制部４７０の先端４７１の面積は、導入抑制部４７０の根本４７２の面積よりも小さい。導入抑制部４７０の先端４７１の面積は、内刃５０の平面視における先端４７１の面積である。導入抑制部４７０の根本４７２の面積は、内刃５０の平面視における根本４７２の面積である。なお、第４実施形態の電気かみそり１によれば、第１実施形態の電気かみそり１により得られる上記（１）〜（５）に準じた効果を得ることができる。
【００６０】
（その他の実施形態）
本電気かみそりが取り得る具体的な形態は、上記各実施形態に例示された形態に限定されない。本電気かみそりは、本発明の目的が達成される範囲において、上記各実施形態とは異なる各種の形態を取り得る。以下に示される上記各実施形態の変形例は、本電気かみそりが取り得る各種の形態の一例である。
【００６１】
・第１実施形態の導入抑制部７０の変形例によれば、導入抑制部７０が支持プレート５１と結合している。なお、第２〜第４実施形態の導入抑制部２７０，３７０，４７０においても本変形と同様の変形が成立する。
【００６２】
・第１実施形態の導入抑制部７０の変形例によれば、太い部分７１および細い部分７２が、互いに異なる材料により形成される。なお、第２実施形態の導入抑制部２７０においても本変形と同様の変形が成立する。
【００６３】
・第１実施形態の導入抑制部７０の変形例によれば、導入抑制部７０が、１つ、２つ、または、４つ以上の細い部分７２を有する。複数の細い部分７２が形成される場合、これらの細い部分７２は、ヘッド短手方向に並べられる。
【００６４】
・第１実施形態の内刃ユニット４０の変形例によれば、内刃ユニット４０が、内刃孔５３よりも少ない数の導入抑制部７０を有する。少なくとも１つの導入抑制部７０が内刃ユニット４０に含まれることにより、第１実施形態の電気かみそり１により得られる効果に準じた効果が得られる。なお、第２〜第４実施形態の内刃ユニット４０においても本変形と同様の変形が成立する。
【００６５】
・第１実施形態の導入抑制部７０の変形例によれば、導入抑制部７０が、金属材料により形成される。なお、第２〜第４実施形態の導入抑制部２７０，３７０，４７０においても本変形と同様の変形が成立する。
【００６６】
・第１実施形態の導入抑制部７０の変形例によれば、先端面７２Ａが、ヘッド高さ方向において、刃片５２の先端面５２Ａと同じ位置に存在している。なお、第２〜第４実施形態の導入抑制部２７０，３７０，４７０においても本変形と同様の変形が成立する。
【００６７】
・第１実施形態の導入抑制部７０の変形例によれば、先端面７２Ａが、ヘッド高さ方向において、刃片５２の先端面５２Ａと外刃３２との間に存在している。本変形例によれば、以下のような効果が得られる。
【００６８】
一般に、先端が折れ曲がった髭であるくせ髭は、内刃孔５３に到達しにくい。一方、本変形例によれば、導入抑制部７０が刃片５２の先端面５２Ａよりも外刃３２側に存在していることにより、くせ髭と接触しやすい。くせ髭が導入抑制部７０と接触したとき、くせ髭の姿勢が寝た姿勢から起きた姿勢に変化することがある。このため、くせ髭が寝た姿勢の場合よりも内刃孔５３に導入されやすくなる。このため、電気かみそり１の剃り性が高められる。なお、第２〜第４実施形態の導入抑制部２７０，３７０，４７０においても本変形と同様の変形が成立する。
【００６９】
・第１〜第４実施形態の電気かみそり１の変形例によれば、電気かみそりが、駆動方式として回転運動方式を有する。この電気かみそりの内刃ユニットは、外刃ユニットに対して回転運動する。
【００７０】
・第１〜第４実施形態の電気かみそり１の変形例によれば、電気かみそり１が、１つまたは３つ以上の個数の内刃ユニット４０を有する。
・第１〜第４実施形態の電気かみそり１の変形例によれば、電気かみそりが、髭以外の毛を切断するための電動機器として構成される。
【００７１】
（課題を解決するための手段に関する付記）
課題を解決するための手段は、下記の〔付記項１〕および〔付記項２〕を含む。なお、〔付記項１〕および〔付記項２〕が有する事項は、各実施形態において開示された事項と対応している。
【００７２】
〔付記項１〕付記項１の電気かみそりは、請求項１〜３のいずれか一項に記載の電気かみそりにおいて次の事項を含む。前記導入抑制部の先端面は、前記内刃の先端面よりも前記内刃内部空間側に存在している。
【００７３】
〔付記項２〕付記項２の電気かみそりは、請求項３、または、請求項３を引用する付記項１に記載の電気かみそりにおいて次の事項を含む。前記太い部分と前記内刃との距離が、毛の径よりも短い。
【符号の説明】
【００７４】
１…電気かみそり
３２…外刃
５０…内刃
５３…内刃孔
５４…内刃内部空間
７０，２７０，３７０，４７０…導入抑制部
７１，２７１…太い部分
７２，２７２…細い部分
３７１，４７１…先端
３７２，４７２…根本
【図１】
2015107225.tif 000003
【図２】
2015107225.tif 000004
【図３】
2015107225.tif 000005
【図４】
2015107225.tif 000006
【図５】
2015107225.tif 000007
【図６】
2015107225.tif 000008
【図７】
2015107225.tif 000009
【図８】
2015107225.tif 000010
【図９】
2015107225.tif 000011